(57)【特許請求の範囲】
【請求項１】
左右方向に互いに隣接させて連結可能とした椅子であって、
椅子本体の左右両側部のいずれか一方に、上端に前後方向を向く係合部を有する連結部材を設けるとともに、前記椅子本体の左右両側部のいずれか他方に、前記係合部と対向する前後方向を向く肘当て部とその前端より下方に延出する垂下部とを有する側面視倒立Ｌ字状の肘掛け部を設け、この肘掛け部における前記肘当て部の下面に、隣接する他の椅子本体における連結部材の係合部に上方より係合可能な被係合部を設け、
連結部材が、前向き延出する、係合部としての前向部と、この前向部の前端より下方に向かって延出する下向部と、を備える側面視倒立Ｌ字状をなすものとし、この連結部材を、椅子本体の左右両側部に設けたいずれか一方の肘掛け部に、その肘当て部と垂下部の外側面に沿うように設け、
前記連結部材の一端は、前記肘当て部に固定され、前記連結部材の他端は、前記垂下部に固定されていることを特徴とする椅子。
【請求項２】
連結部材が、外側方を向く外向部と、この外向部の外側端より前向き延出する前記前向部と、前記下向部と、この下向部の下端より内側方に延出する内向部とを備える側面視倒立Ｌ字状をなすものとし、前記外向部は、前記肘当て部に固定され、前記内向部は、前記垂下部に固定されていることを特徴とする請求項１に記載の椅子。
【請求項３】
肘当て部の被係合部を、下方に開口するコ字状断面の係合溝としたことを特徴とする請求項１または２に記載の椅子。
【請求項４】
連結部材における外向部の外側端に起立部を連設し、この起立部の上端に、係合部としての前向部を連設したことを特徴とする請求項２または３に記載の椅子。
【請求項５】
外向部と内向部の左右寸法を、隣接する椅子本体同士を係合部と被係合部により連結したとき、互いに対向する肘掛け部との間に隙間が形成される長さとしたことを特徴とする請求項２ないし４のいずれかに記載の椅子。
【請求項６】
肘掛け部の垂下部の後面に、第２の被係合部を設けるとともに、連結部材の下向部を第２の係合部とし、この第２の係合部に、隣接する他の椅子本体の肘掛け部における垂下部の第２の被係合部を係合しうるようにしたことを特徴とする請求項１ないし５のいずれかに記載の椅子。
【請求項７】
肘掛け部の垂下部の第２の被係合部を、肘当て部の係合溝と連続する後方に開口するコ字状断面の係合溝としたことを特徴とする請求項６に記載の椅子。
【請求項８】
連結部材における下向部の下端に後向部を連設し、この後向部の後端に内向部を連設し、前記後向部より上方の前記下向部を第２の係合部としたことを特徴とする請求項６または７に記載の椅子。
【発明の詳細な説明】
【技術分野】
【０００１】
本発明は、左右方向に互いに隣接させて連結しうるようにした椅子に関する。
【背景技術】
【０００２】
会議室やコンサートホール等においては、多数の椅子を前後左右方向に整列させて規則的に配置するために、椅子同士を左右方向に互いに隣接させて連結することがある。
【０００３】
このように、椅子同士を左右方向に隣接させて簡易的に連結可能とした椅子は、例えば、特許文献１〜５に記載されており、公知である。
【先行技術文献】
【特許文献】
【０００４】
【特許文献１】実公昭３５−２４０４２号公報
【特許文献２】実公昭５０−２７３６９号公報
【特許文献３】実用新案登録第２５１３９６６号公報
【特許文献４】実用新案登録第３００８９９０号公報
【特許文献５】実開昭５７−１０７４４５号公報
【発明の概要】
【発明が解決しようとする課題】
【０００５】
前記特許文献１に記載されている椅子は、側脚の上端の外側面に突設した逆Ｕ字状の係合部（鉤）に、隣接する椅子における側脚の上端部の被係合部を、単に上方より落とし込んで連結するので、連結部が外部に露出して目立ち、外観的体裁が悪い。
【０００６】
特許文献２に記載されている椅子は、椅子の側脚に設けた係合部（係合部片）を外側方に摺動させて、この係合部片に、隣接する椅子の側脚に下向き突設した被係合部（係止部片）を上方より係合させて連結するため、その都度、係合部をスライドさせる必要があり、係合作業が繁雑である。
【０００７】
特許文献３に記載されている椅子は、互いに隣接する椅子の肘掛けと、脚の下端部との両方に設けた係合部と被係合部同士を、互いに位置決めして係合させなければならないので、多数の椅子を連結する際に多くの時間を要する。
【０００８】
特許文献４に記載されている椅子は、特許文献３と同様に、隣接する肘掛け同士を前後方向に位置決めして、それらに設けた係合部と被係合部とを互いに係合させなければならないので、多数の椅子を連結する際に多くの時間を要する。
【０００９】
特許文献５に記載されている椅子は、常時不使用位置に弾性付勢された連結ピンを、連結の都度、下方に引き出して回動操作し、隣接する椅子の係止孔に係合させなければならないので、前述と同様、多数の椅子を連結する際に多くの時間を要する。
【００１０】
本発明は、このような問題点に着目してなされたもので、連結作業が極めて容易であるとともに、互いの係合部と被係合部との連結部を目立たなくして、体裁よく連結することができるようにした椅子を提供することを目的としている。
【課題を解決するための手段】
【００１１】
前記課題を解決するために、本発明の椅子は、
左右方向に互いに隣接させて連結可能とした椅子であって、
椅子本体の左右両側部のいずれか一方に、上端に前後方向を向く係合部を有する連結部材を設けるとともに、前記椅子本体の左右両側部のいずれか他方に、前記係合部と対向する前後方向を向く肘当て部とその前端より下方に延出する垂下部とを有する側面視倒立Ｌ字状の肘掛け部を設け、この肘掛け部における前記肘当て部の下面に、隣接する他の椅子本体における連結部材の係合部に上方より係合可能な被係合部を設け、
連結部材が、前向き延出する、係合部としての前向部と、この前向部の前端より下方に向かって延出する下向部と、を備える側面視倒立Ｌ字状をなすものとし、この連結部材を、椅子本体の左右両側部に設けたいずれか一方の肘掛け部に、その肘当て部と垂下部の外側面に沿うように設け、
前記連結部材の一端は、前記肘当て部に固定され、前記連結部材の他端は、前記垂下部に固定されていることを特徴としている。
この特徴によれば、椅子本体の肘当て部の下面に設けた被係合部を、隣接する他方の椅子本体の連結部材の係合部に、上方より嵌合して係合させるだけで、椅子本体同士を極めて容易に連結することができる。また、係合部は、肘当て部の下面において被係合部と係合するので、連結部が目立ちにくく、椅子本体同士を体裁よく連結することができる。さらに、係合部と被係合部は前後方向に長いので、椅子本体同士を安定的に連結することができる。係合部は、座の上方の肘当て部の下面において被係合部と係合するので、係合部を視認しながら容易に連結することができる。
【００１２】
本発明の椅子は、
連結部材が、外側方を向く外向部と、この外向部の外側端より前向き延出する前記前向部と、前記下向部と、この下向部の下端より内側方に延出する内向部とを備える側面視倒立Ｌ字状をなすものとし、前記外向部は、前記肘当て部に固定され、前記内向部は、前記垂下部に固定されていることを特徴としている。
この特徴によれば、連結部材の係合部を、単一の部材を折曲するだけで容易に形成することができる。また、連結部材を側面視倒立Ｌ字状として、肘掛け部における肘当て部と垂下部の外側面に沿うように設けてあるので、椅子の見栄えがよくなる。
【００１３】
本発明の椅子は、
肘当て部の被係合部を、下方に開口するコ字状断面の係合溝としたことを特徴としている。
この特徴によれば、連結部材の係合部が係合溝に嵌合して係合され、連結部が外部に露呈しないので、外観的体裁がより向上する。また、係合部と係合溝との係合作業が容易となる。
【００１４】
本発明の椅子は、
連結部材における外向部の外側端に起立部を連設し、この起立部の上端に、係合部としての前向部を連設したことを特徴としている。
この特徴によれば、前向部が、起立部を介して外向部よりも上方に位置するので、前向部全体を係合溝の奥部まで嵌合することができ、椅子本体同士を安定的に連結することができる。
【００１５】
本発明の椅子は、
外向部と内向部の左右寸法を、隣接する椅子本体同士を係合部と被係合部により連結したとき、互いに対向する肘掛け部との間に隙間が形成される長さとしたことを特徴としている。
この特徴によれば、互いに対向する肘掛け部との間に形成された隙間に、冊子等を挿入して、これを、連結部材の外向部と内向部とにより支持することができる。
【００１６】
本発明の椅子は、
肘掛け部の垂下部の後面に、第２の被係合部を設けるとともに、連結部材の下向部を第２の係合部とし、この第２の係合部に、隣接する他の椅子本体の肘掛け部における垂下部の第２の被係合部を係合しうるようにしたことを特徴としている。
この特徴によれば、係合領域が、Ｌ字状をなして拡大するので、椅子本体同士をより安定的に連結することができる。
【００１７】
本発明の椅子は、
肘掛け部の垂下部の第２の被係合部を、肘当て部の係合溝と連続する後方に開口するコ字状断面の係合溝としたことを特徴としている。
この特徴によれば、連結部材の下向部も、肘掛け部の垂下部の係合溝に嵌合して係合されるので、係合部が露呈せず、外観的体裁が向上する。また、係合作業も容易となる。
【００１８】
本発明の椅子は、
連結部材における下向部の下端に後向部を連設し、この後向部の後端に内向部を連設し、前記後向部より上方の前記下向部を第２の係合部としたことを特徴としている。
この特徴によれば、下向部が、後向部を介して内向部よりも前方に位置するので、後向部より上方の下向部全体を係合溝の奥部まで嵌合することができ、椅子本体同士を安定的に連結することができる。
【図面の簡単な説明】
【００１９】
【図１】本発明の実施例１の椅子とその連結例を示す斜視図である。
【図２】同じく、側面図である。
【図３】連結部材の拡大斜視図である。
【図４】連結部材の取付部を下方より見た斜視図である。
【図５】図１のV−V線に沿う拡大縦断正面図である。
【図６】肘当て部における係止溝形成部を下方より見た斜視図である。
【図７】椅子をスタッキングした状態の側面図である。
【図８】本発明の実施例２の椅子とその連結例を示す斜視図である。
【図９】図８のIX−IX線に沿う拡大縦断正面図である。
【図１０】本発明の実施例３の椅子に用いる連結部材の拡大斜視図である。
【図１１】同じく、実施例３の椅子に用いる肘掛け部を下方より見た斜視図である。
【図１２】本発明の実施例４の椅子の斜視図である。
【発明を実施するための形態】
【００２０】
本発明に係る椅子を実施するための形態を実施例に基づいて以下に説明する。
【実施例１】
【００２１】
実施例１に係る椅子につき、図１から図７を参照して説明する。図１は、本発明の実施例１の椅子とその連結例の斜視図、図２は、同じく側面図で、椅子本体１は、左右１対の木製よりなる前脚２、２及び後脚３、３と、座４と、背凭れ５とを備えている。
【００２２】
左右の後脚３、３の上端には、背凭れ５を支持する背凭れ支持部６、６が一体的に連設され、この背凭れ支持部６、６の対向面に、背凭れ５の両側面が取り付けられている。左右の前脚２、２における座４よりも上方の部分には、側面視倒立Ｌ字状の左右１対の肘掛け部７、７が一体的に連設されている。左右の肘掛け部７は、前後方向を向く肘当て部７ａと、その前端より垂下し、前脚２の上端と連続する垂下部７ｂとからなり、肘当て部７ａの後端に連設された上向部７ｃが、背凭れ支持部６の外側面にねじ止めされている。
【００２３】
座４の後端部の両側面は、左右の後脚３の上端部の対向面に固定され、また座４の前端部下面は、左右の前脚２の上端部の対向面同士を連結している連結杆８の上面に固定されている。
【００２４】
隣接する各椅子本体１の一方の肘掛け部７には、椅子本体１同士を連結するための連結部材９が、次のようにして取り付けられている。
【００２５】
図５に示すように、連結部材９は、外側方を向く外向部９ａと、この外向部９ａの外側端より起立する短寸の起立部９ｂと、この起立部９ｂの上端より前向き延出する前向部９ｃと、この前向部９ｃの前端より下方に向かって延出する下向部９ｄと、この下向部９ｄの下端より内側方に向かって延出する内向部９ｅとを備え、１本の金属製丸棒状ロッドを前記の形状に折曲することより、側面視倒立Ｌ字状に形成されている。なお、前記前向部９ｃは、隣接する他の椅子本体１における一方の肘掛け部７の肘当て部７ａの下面に設けられた後記する係合溝１４に係合する係合部とされている。
【００２６】
外向部９ａと内向部９ｅの内端部には、それぞれ前後方向を向くほぼ水平の取付板１０と、上下方向を向くほぼ垂直の取付板１１とが、溶接により固着されている。両取付板１０、１１には、それぞれ２個の取付孔１２、１２が穿設されている。
【００２７】
図４に示すように、水平の取付板１０を、肘掛け部７における肘当て部７ａの前後方向の中央部下面に、垂直の取付板１１を、垂下部７ｂの下端部の後面に、それぞれの取付孔１２に挿入した皿ねじ１３をもって固定することにより、連結部材９は、肘掛け部７の外側面に沿うように、すなわち、前向部９ｃは肘当て部７ａにおける前半部の下部外側面と若干離間するように、下向部９ｄは垂下部７ｂの後端部外側面と若干離間するように取り付けられている（図２参照）。
【００２８】
図５に示すように、隣接する各椅子本体１の一方の肘掛け部７（図５の紙面左側の肘掛け部７）における肘当て部７ａの前半部下面には、被係合部としての下方に開口する下向コ字状断面の係合溝１４が、垂下部７ｂの連設部付近まで形成されている（図６参照）。
【００２９】
椅子本体１同士を連結するには、図５に示すように、一方の椅子本体１の肘当て部７ａ（図５の紙面右側の肘当て部７ａ）に取り付けた連結部材９の前向部９ｃに、隣接する他方の椅子本体１を若干持ち上げて、この椅子本体１における肘当て部７ａ（図５の紙面左側の肘当て部７ａ）の下面に設けた係合溝１４を、上方より嵌合して係合させればよい。これにより、複数の椅子本体１を、順次左右方向に互いに隣接させて極めて容易に連結することができる。
【００３０】
なお、前向部９ｃは、起立部９ｂの上端に連設されているので、前向部９ｃ全体を、係合溝１４に奥部まで嵌合することができるとともに、前向部９ｃの後端を、係合溝１４の後端と近接または当接させることができ、また連結部材９の下向部９ｄは、垂下部７ｂの後面と近接または当接するので、連結後において隣接する椅子本体が前後方向に相対的移動するのを防止することができる。
【００３１】
また、肘掛け部７における肘当て部７ａの後端部を、背凭れ支持部６の外側面に固定してあるので、図７に示すように、上方の椅子本体１の後脚３を、下方の椅子本体１における左右の肘当て部７ａの後端部間に挿入させてスタッキングすることができる。この際、連結部材９は肘掛け部７の外側面に沿うように取り付けてあるので、スタッキングの妨げになることはない。
【００３２】
以上説明したように、前記実施例１の椅子においては、一方の椅子本体１の肘当て部７ａの下面に設けた係合溝１４を、他方の椅子本体１の肘当て部７ａに取り付けた連結部材９の前向部９ｃに、上方より嵌合して係合させることにより、椅子本体１同士を連結しているので、係合溝１４や前向部９ｃはもとより、椅子本体１同士の連結部が外部に露呈しないので、外観的体裁がよくなる。
【００３３】
また、係合部である前向部９ｃ、及びそれへの被係合部である係合溝１４は、前後方向に長いので、椅子本体１同士を安定的に連結することができる。
【００３４】
さらに、連結部材９と係合溝１４は、共に肘掛け部７に取り付けられ、前向部９ｃと係合溝１４は座４の上方に位置しているので、前向部９を視認しながら容易に連結することができる。
【００３５】
連結部材９を、肘掛け部７に、その肘当て部７ａと垂下部７ｂの外側面に沿うように取り付けてあるので、見栄えがよい。
【００３６】
連結部材９が金属製であっても、前脚２と一体をなす肘掛け部７は木製であるので、連結時に不快な金属音を発することはない。
【実施例２】
【００３７】
図８及び図９は、本発明の実施例２の椅子とその連結例を示すもので、この実施例２においては、連結部材９の外向部９ａと内向部９ｅの左右寸法を、前記実施例１のものよりも長寸としたものである。
【００３８】
このようにすると、図９に示すように、椅子本体１同士を連結した際でも、互いに対向する肘掛け部７、７との間に所要大きさの隙間Ｓが形成されるので、この隙間Ｓに冊子Ｒ等を挿入して、この冊子Ｒ等の後縁と下縁を、連結部材９の外向部９ａと内向部９ｅにより支持することができる。
【実施例３】
【００３９】
図１０及び図１１は、本発明の実施例３の椅子に用いる連結部材９と、肘掛け部７を示すもので、この実施例３の連結部材９は、その下向部９ｄの下端に、後方に延出する短寸の後向部９ｆを連設し、この後向部９ｆの後端に内向部９ｅを連設することにより、後向部９ｆよりも上方の下向部９ｄを、第２の係合部としてある。
【００４０】
一方、他方の椅子本体１における肘掛け部７の垂下部７ｂの後面には、前記下向部９ｄが嵌合して係合可能な第２の被係合部、すなわち後方に開口するコ字状断面の係合溝１５が、肘当て部７ａの下面の係合溝１４と連続するようにして形成されている。
【００４１】
このように、下向部９ｄも、肘掛け部７の垂下部７ｂの後面に設けた係合溝１５に係合させると、係合領域が、Ｌ字状をなして拡大するので、椅子本体１同士を安定的に連結することができる。
【００４２】
また、下向部９ｄの下端に後向部９ｆを連設してあるので、下向部９ｄ全体を、垂下部７ｂの係合溝１５に奥部まで嵌合することができる。
【実施例４】
【００４３】
図１２は、本発明の実施例４の椅子を示すもので、この実施例４においては、前記実施例１〜３と同様の肘掛け部７を、椅子本体１の一方の側部（図１２の紙面右上側）のみに設け、他方の側部（図１２の紙面左下側）の前脚２の上端に連設された、後端部が後脚３の外側面に固定された後向部１６の下面に、側面視下向コ字状の連結部材１７の下端部を取り付けたものである。
【００４４】
椅子本体１同士を連結するには、連結部材１７の上端部の前後方向を向く係合部１７ａに、隣接する他方の椅子本体１における肘掛け部７の前向部７ａの下面に設けた、前記と同様の係合溝１４（この実施例４では図示略）を上方より嵌合して係合させればよい。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例１〜４では、いずれも、肘当て部７ａの下面の被係合部を、コ字状断面の係止溝１４としてあるが、これに代えて、肘当て部７ａの下面に、コ字状断面の被係合部材を別途取り付けてもよい。この際、被係合部材は、長手方向に連続するものか、長手方向に複数に分割したもののいずれでもよい。このような被係合部材を取り付けても、肘当て部７ａの下面に位置しているので、目立ちにくい。
【００４７】
また、前記実施例１〜４においては、前向部９ｃ全体が係合溝１４に嵌合されるように、外向部９ａの外側端に起立部９ｂを連設し、この起立部９ｂの上端に前向部９ｃの後端を連設しているが、起立部９ｂを省略し、外向部９ａの外側端に前向部９ｃを連設してもよい。この際には、係合溝１４の深さを、後端に向かって漸次浅くして、その後端が肘当て部７ａの下面に連続するようにすればよい。さらに、前向き部９ｃの長手方向における所定部位を屈曲させて上方に起立される起立片を形成し、この起立片を係合溝１４に係合される係合部として構成してもよい。さらにまた、前向き部９ｃの長手方向における所定部位に上方に起立される起立片を別部材として取り付け、この起立片を係合溝１４に係合される係合部として構成してもよい。
【００４８】
実施例１の椅子において、垂下部７ｂの後面に、図１１に示すような係合溝１５を設け、この係合溝１５に、連結部材９の下向部９ｄを係合させるようにしてもよい。この際には、係合溝１５の深さを、下端に向かって漸次浅くして、その下端が垂下部７ｂの後面に連続するようにすればよい。
【符号の説明】
【００４９】
１                椅子本体
７                肘掛け部
７ａ              肘当て部
７ｂ              垂下部
９                連結部材
９ａ              外向部
９ｂ              起立部
９ｃ              前向部（係合部）
９ｄ              下向部（第２の係合部）
９ｅ              内向部
１４              係合溝（被係合部）
１５              係合溝（第２の被係合部）
１６              後向部
１７              連結部材
１７ａ            係合部
Ｓ                隙間
【図１】
0005764369.tif 000002
【図２】
0005764369.tif 000003
【図３】
0005764369.tif 000004
【図４】
0005764369.tif 000005
【図５】
0005764369.tif 000006
【図６】
0005764369.tif 000007
【図７】
0005764369.tif 000008
【図８】
0005764369.tif 000009
【図９】
0005764369.tif 000010
【図１０】
0005764369.tif 000011
【図１１】
0005764369.tif 000012
【図１２】
0005764369.tif 000013